(57)【特許請求の範囲】
【請求項１】
車体後部のリヤフロアに形成されるスペアタイヤハウスと、
車幅方向左右一対のサイドフレームを連結し、かつ前記スペアタイヤハウスの車両前方に配設されるリヤクロスメンバと、
車両前後方向に延び、かつ前記スペアタイヤハウスの下面の車幅方向中央に配設される牽引フック用のフック補強部材と
を備えている車体後部の下部構造において、
前記フック補強部材の前端が前記リヤクロスメンバに取付けられ、
前記フック補強部材が、前記リヤフロアとともに閉断面を形成し、かつ前方側の前記閉断面より後方側の前記閉断面を大きくするように形成されており、
前記フック補強部材が、補強部材前部と補強部材後部とに分割されている、車体後部の下部構造。
【請求項２】
前記スペアタイヤハウスの上面に前記スペアタイヤを留めるためのスペアタイヤブラケットが設けられ、
前後方向に沿った前記スペアタイヤブラケットの縦断面が上方に凸状のハット形状に形成され、
前記スペアタイヤブラケットの頂部が、前記スペアタイヤの中心を留めることができるように構成され、
前記スペアタイヤブラケットの前部が、前記フック補強部材を分割した位置より前方で前記スペアタイヤハウスに取付けられ、
前記スペアタイヤブラケットの後部が、前記フック補強部材を分割した位置より後方で前記スペアタイヤハウスに取付けられている、請求項１に記載の車体後部の下部構造。
【請求項３】
前記フック補強部材の後端部には、前方側から前記補強部材の後端に向かって上方に傾く斜面が形成されている、請求項１または２に記載の車体後部の構造。
【請求項４】
前記フック補強部材の後端がバックパネルに取付けられている、請求項３に記載の車体後部の構造。
【請求項５】
前記リヤフロアには、下方に突出するビードが車幅方向に延設され、前記ビードの位置と、フック補強部材を分割した位置とが一致している、請求項１〜４のいずれか一項に記載の車体後部の下部構造。
【請求項６】
前記サイドフレームは、前記リヤクロスメンバより後方で、車両前後方向にフレーム前部とフレーム後部とに分割され、車両後方からの荷重を加えられた場合に、前記フレーム前部と前記フレーム後部との間の分割位置を基点として谷形折れをするように構成されている、請求項１〜５のいずれか一項に記載の車体後部の構造。
【請求項７】
前記補強部材後部の閉断面の面積は、車両後方に向かって大きくなり、前記補強部材後部の最大閉断面積部分に形成された略水平面部に、前記牽引フックが取付けられている、請求項１〜６のいずれか一項に記載の車体後部の下部構造。
【発明の詳細な説明】
【技術分野】
【０００１】
本発明は、特に、車体後部のリヤフロアに形成されるスペアタイヤハウスを備える車両の車体後部の下部構造に関する。
【背景技術】
【０００２】
一般的な車両では、車体後部のリヤフロアにスペアタイヤを収納するためのスペアタイヤハウスが設けられている。このような構造の車両において、車両後方からの荷重が加えられた場合、スペアタイヤの前端が車両前方へ向かって移動することに伴って、スペアタイヤハウスが変形し、かつ車両前方に移動することがある。特に、スペアタイヤハウスの車両前方には燃料タンクが配置されているので、変形したスペアタイヤハウスが燃料タンクに接触するおそれがあり、好ましくない。
【０００３】
このような場合に、スペアタイヤハウスとバックパネルとの間に十分なスペースを確保することによって、スペアタイヤハウス周辺で荷重を吸収する対策が考えられる。また、スペアタイヤハウスの車両前方に燃料タンクが配置される場合には、スペアタイヤハウスと燃料タンクとの間の距離を十分に確保することによって、スペアタイヤハウス周辺で荷重を吸収する対策が考えられる。
一方、スペアタイヤハウス及び燃料タンク以外の部品を配置するスペースも確保する必要があり、かつ車体部品のレイアウトには制限が多いため、スペアタイヤハウス後方の空間、スペアタイヤハウス及び燃料タンクの間の距離などを十分に確保できないことが多い。また、スペアタイヤハウス後方の空間、スペアタイヤハウス及び燃料タンクの間の距離などを十分に確保しようとすると、車体が大型化するという問題があり、このことは、特に小型車の場合に問題となる。
【０００４】
さらに、スペアタイヤハウスの前側上方には後部座席が配置されており、車両後方からの荷重が加えられる場合、スペアタイヤの前端が前側上方に移動することがある。このとき、スペアタイヤの前端が後部座席に接触するという問題がある。
【０００５】
そこで、例えば、特許文献１に開示された構造では、変形したスペアタイヤハウスが燃料タンクと接触するのを避けるため、スペアタイヤの前側を燃料タンクの配設位置よりも上方に持ち上げて、スペアタイヤを傾斜させた状態でスペアタイヤハウスに収納している。
【０００６】
また、特許文献２に開示された構造では、変形したスペアタイヤハウスが燃料タンクと接触するのを避け、かつスペアタイヤの前端が後部座席と接触するのを防止するために、車両後方からの荷重が加えられた場合、リヤフロアの車幅方向両端に配置されるサイドフレームが、リヤフロアのスペアタイヤハウス前方で、一般的に燃料タンクの上方に位置する後部座席を持ち上げるように変形する構成となっている。
【０００７】
さらに、特許文献３で開示された構造では、スペアタイヤがスペアタイヤハウスに前倒しの状態で傾斜配置され、車両後方からの荷重によってスペアタイヤの後部が、スペアタイヤの前部を中心に跳ね上げられ、かつ車両前方へ向かって縦方向に回動する構成となっており、スペアタイヤの前端による前方の構造物への荷重が低減されている。
【先行技術文献】
【特許文献】
【０００８】
【特許文献１】特開平１０−３１６０５０号公報
【特許文献２】特開２００６−２０５８１０号公報
【特許文献３】特開２００９−１７９１８１号公報
【発明の概要】
【発明が解決しようとする課題】
【０００９】
しかしながら、上述した特許文献１のように、スペアタイヤの前側を燃料タンクの配設位置よりも上方に持ち上げて、スペアタイヤを傾斜させた状態でスペアタイヤハウスに収納する構造のみでは、車両後方からの荷重が加えられた場合に、スペアタイヤの前端が前側上方に向かって移動しやすくなってしまう。そのため、依然としてスペアタイヤの前端が後部座席に接触するおそれがあった。
また、上述した特許文献２のように、車両後方からの荷重が加えられた場合、サイドフレームを、リヤフロアのスペアタイヤハウスの前方で、燃料タンク上方の後部座席を持ち上げるように変形させる構造では、スペアタイヤハウスの変形移動と、スペアタイヤ前端の車両前方への移動とを十分に抑えることができないという問題があった。
さらに、上述した特許文献３のように、縦方向の回動を促進するためにはスペアタイヤの傾斜を大きくすることが考えられるが、傾斜を大きくすると上下方向のラゲッジスペースが狭くなるという問題があった。
【００１０】
本発明はこのような実状に鑑みてなされたものであって、その目的は、車両後方からの荷重が加えられる場合に、スペアタイヤハウスの車両前方への変形及びスペアタイヤ前端の車両前方への移動を防ぐとともに、スペアタイヤの後部の跳ね上げを促進することが可能な車体後部の下部構造を提供することにある。
【課題を解決するための手段】
【００１１】
課題を解決するために、本発明の車体後部の下部構造は、車体後部のリヤフロアに形成されるスペアタイヤハウスと、車幅方向左右一対のサイドフレームを連結し、かつ前記スペアタイヤハウスの車両前方に配設されるリヤクロスメンバと、車両前後方向に延び、かつ前記スペアタイヤハウスの下面の車幅方向中央に配設される牽引フック用のフック補強部材とを備えている車体後部の下部構造において、前記フック補強部材の前端が前記リヤクロスメンバに取付けられ、前記フック補強部材が、前記リヤフロアとともに閉断面を形成し、かつ前方側の前記閉断面より後方側の前記閉断面を大きくするように形成されており、前記フック補強部材が、補強部材前部と補強部材後部とに分割されている。
【００１２】
本発明の車体後部の下部構造では、前記スペアタイヤハウスの上面に前記スペアタイヤを留めるためのスペアタイヤブラケットが設けられ、前後方向に沿った前記スペアタイヤブラケットの縦断面が上方に凸状のハット形状に形成され、前記スペアタイヤブラケットの頂部が、前記スペアタイヤの中心を留めることができるように構成され、前記スペアタイヤブラケットの前部が、前記フック補強部材を分割した位置より前方で前記スペアタイヤハウスに取付けられ、前記スペアタイヤブラケットの後部が、前記フック補強部材を分割した位置より後方で前記スペアタイヤハウスに取付けられている。
【００１３】
本発明の車体後部の下部構造では、前記フック補強部材の後端部には、前方側から前記補強部材の後端に向かって上方に傾く斜面が形成されている。
【００１４】
本発明の車体後部の下部構造では、前記フック補強部材の後端がバックパネルに取付けられている。
【００１５】
本発明の車体後部の下部構造では、前記リヤフロアには、下方に突出するビードが車幅方向に延設され、前記ビードの位置と、フック補強部材を分割した位置とが一致している。
【００１６】
本発明の車体後部の下部構造では、前記サイドフレームは、前記リヤクロスメンバより後方で、車両前後方向にフレーム前部とフレーム後部とに分割され、車両後方からの荷重を加えられた場合に、前記フレーム前部と前記フレーム後部との間の分割位置を基点として谷形折れをするように構成されている。
【００１７】
本発明の車体後部の下部構造では、前記補強部材後部の閉断面の面積は、車両後方に向かって大きくなり、前記補強部材後部の最大閉断面積部分に形成された略水平面部に、前記牽引フックが取付けられている。
【発明の効果】
【００１８】
本発明によれば、以下の効果を得ることができる。
本発明の車体後部の下部構造は、車体後部のリヤフロアに形成されるスペアタイヤハウスと、車幅方向左右一対のサイドフレームを連結し、かつ前記スペアタイヤハウスの車両前方に配設されるリヤクロスメンバと、車両前後方向に延び、かつ前記スペアタイヤハウスの下面の車幅方向中央に配設される牽引フック用のフック補強部材とを備えている車体後部の下部構造において、前記フック補強部材の前端が前記リヤクロスメンバに取付けられ、前記フック補強部材が、前記リヤフロアとともに閉断面を形成し、かつ前方側の前記閉断面より後方側の前記閉断面を大きくするように形成されており、前記フック補強部材が、補強部材前部と補強部材後部とに分割されている。
そのため、車両後方からの荷重が車体後部に掛かるとき、フック補強部材の補強部材後部が荷重を受けて車両前方へ移動し、補強部材前部へ荷重が伝わることになる。補強部材前部へ伝わった荷重はリヤクロスメンバに伝わり、更なる荷重をリヤクロスメンバが受けきれずに変形する場合、フック補強部材の後方側の閉断面積が前方側の閉断面積より大きくなっていることによって、補強部材前部は、リヤクロスメンバとの連結部を中心として変形するとともに、補強部材後部は、剛性が高く変形しながらもその形を保って後端が上方に移動することになる。従って、リヤフロア及びフック補強部材は谷形折れ（Ｖ字変形）を起こすことになる。
よって、スペアタイヤがスペアタイヤハウスに前倒しの状態で傾斜配置され、スペアタイヤの後部が、スペアタイヤの前部を中心に跳ね上げられ、車両前方へ向かって縦方向に回動する場合には、上述の谷形折れによってスペアタイヤの縦方向の回動を促進することができるとともに、車両後方からの荷重を確実に吸収することができる。
【００１９】
本実施形態の車体後部の下部構造では、前記スペアタイヤハウスの上面に前記スペアタイヤを留めるためのスペアタイヤブラケットが設けられ、前後方向に沿った前記スペアタイヤブラケットの縦断面が上方に凸状のハット形状に形成され、前記スペアタイヤブラケットの頂部が、前記スペアタイヤの中心を留めることができるように構成され、前記スペアタイヤブラケットの前部が、前記フック補強部材を分割した位置より前方で前記スペアタイヤハウスに取付けられ、前記スペアタイヤブラケットの後部が、前記フック補強部材を分割した位置より後方で前記スペアタイヤハウスに取付けられているので、特に、スペアタイヤハウスに前倒しの状態でスペアタイヤが傾斜配置された場合に、フック補強部材の分割位置を基点として発生するフック補強部材の谷形折れによって、スペアタイヤの後部を、スペアタイヤの前部を中心として確実に跳ね上げることができる。
【００２０】
本実施形態の車体後部の下部構造では、前記フック補強部材の後端部には、前方側から前記補強部材の後端に向かって上方に傾く斜面が形成されているので、車両後方からの荷重が車体後部に掛かり、ある程度の変形が進んだ後、谷形折れの発生したフック補強部材の後端部の斜面が、当該斜面が車両後方からの荷重に対して垂直な状態に移動することとなる。よって、フック補強部材には、更に谷形折れを促すように荷重が掛かることとなり、スペアタイヤの後部を、スペアタイヤの前部を中心としてさらに確実に跳ね上げることができる。
【００２１】
本実施形態の車体後部の下部構造では、前記フック補強部材の後端がバックパネルに取付けられているので、最初に車両後方からの荷重が車体後部に掛かった際に、バックパネルからフック補強部材に荷重が確実に伝わることとなり、フック補強部材の谷形折れをより確実に、早く起こすことができる。
【００２２】
本実施形態の車体後部の下部構造では、前記リヤフロアには、下方に突出するビードが車幅方向に延設され、前記ビードの位置と、フック補強部材を分割した位置とが一致しているので、フック補強部材の前後部の分割位置を基点に谷形折れが起こるとき、ビードによりリヤフロアが谷形折れしやすくなり、スペアタイヤブラケットを含むリヤフロア、及びフック補強部材を確実に谷形折れさせることができる。したがって、リヤフロアからスペアタイヤブラケットへの変形荷重が効率よく伝達されることになり、スペアタイヤの後部を十分に跳ね上げることができる。
【００２３】
本実施形態の車体後部の下部構造では、前記サイドフレームは、前記リヤクロスメンバより後方で、車両前後方向にフレーム前部とフレーム後部とに分割され、車両後方からの荷重を加えられた場合に、前記フレーム前部と前記フレーム後部との間の分割位置を基点として谷形折れをするように構成されているので、車両後方からの荷重が車体後部に掛かり、ある程度の変形が進んだ後、サイドフレームは、フレーム前部及びフレーム後部の分割位置を中心に折れ変形を起こすが、この場合、リヤフロア及びフック補強部材の折れ変形と同じ方向に変形しやすくなる。その際、サイドフレームがフレーム前部及びフレーム後部の分割位置を基点としてあらかじめ若干下向きに湾曲して形成され、あるいは、当該分割位置の上側に凹みやビードが形成されていれば、サイドフレームの谷形折れを誘導することができる。
【００２４】
本実施形態の車体後部の下部構造では、前記補強部材後部の閉断面の面積は、車両後方に向かって大きくなり、前記補強部材後部の最大閉断面積部分に形成された略水平面部に、前記牽引フックが取付けられているので、車両後方からの荷重に伴って生じるリヤフロア及びフック補強部材の谷形折れをより確実に、早く起こすことができる。また、牽引フックの取付剛性を確保できるとともに、牽引フックによって補強部材後部の剛性を補強することができる。その結果、上記効果をより確実に発揮でき、スムーズな谷形折れを起こし、スペアタイヤの後部の跳ね上げを確実に起こすことができる。
【図面の簡単な説明】
【００２５】
【図１】本発明の第１実施形態に係る下部構造が適用される車両の車体後部を示す斜視図である。
【図２】本発明の第１実施形態の下部構造が適用された車体後部において、スペアタイヤハウス周辺の構成部材の配置関係を前側斜め下方から見た斜視図である。
【図３】本発明の第１実施形態の下部構造が適用された車体後部において、スペアタイヤハウス周辺の構成部材の配置関係を示す下面図である。
【図４】本発明の第１実施形態の下部構造が適用された車体後部において、スペアタイヤハウス周辺の構成部材の配置関係を示す側面図である。
【図５】本発明の第１実施形態の下部構造が適用された車体後部において、スペアタイヤハウス周辺の構成部材の配置関係を前側斜め上方から見た斜視図である。
【図６】本発明の第１実施形態の下部構造が適用された車体後部において、一部を図３のＡ−Ａ断面で示した図である。
【図７】図３のＢ−Ｂ断面図である。
【図８】本発明の第１実施形態の下部構造が適用された車体後部を示すものであって、（ａ）は車両後方からの荷重が車体後部に掛かる前の状態の側面図、（ｂ）は掛かった状態の側面図である。
【図９】本発明の第２実施形態の下部構造が適用された車体後部において、スペアタイヤハウス周辺の構成部材の配置関係を示す下面図である。
【図１０】本発明の第２実施形態の下部構造が適用された車体後部を示すものであって、（ａ）は車両後方からの荷重が車体後部に掛かる前の状態の側面図、（ｂ）は掛かった状態の側面図である。
【発明を実施するための形態】
【００２６】
以下、本発明を図示の実施形態に基づいて詳細に説明する。
図１〜図１０は本発明の実施形態に係る車体後部の下部構造を示すものである。本発明の実施形態では、ハッチバック式の車両を用いて説明するが、本発明と同様の作用及び効果が得られる構造であれば、セダン、クーペ、ハードトップ、ＳＵＶ、ステーションワゴン、ミニバンなどその他の種類の車両であってもよい。
【００２７】
［第１実施形態］
本発明の第１実施形態に係る車両の車体後部１の下部構造を、図１〜図８を参照して説明する。
本発明の第１実施形態に係る車両の車体後部１の下部には、図１〜図６に示すように、水平方向に広がるリヤフロア２が設けられており、リヤフロア２の中央部には、横置き配置のスペアタイヤＳを収納可能とするための収納凹部たるスペアタイヤハウス３が形成されている。リヤフロア２の車幅方向左右両端には、それぞれ前後方向に延びるサイドフレーム４が配設されている。このような一対のサイドフレーム４を連結するリヤクロスメンバ５が、スペアタイヤハウス３の前方におけるリヤフロア２の下面側に配設されている。また、スペアタイヤハウス３の下面には、車両前後方向に延びるフック補強部材６が、車幅方向中央に配設されている。従って、第１実施形態における車体後部１の下部構造は、リヤフロア２と、スペアタイヤハウス３と、サイドフレーム４と、リヤクロスメンバ５と、フック補強部材６とを備えている。
【００２８】
さらに、スペアタイヤハウス３の前方におけるリヤフロア２の下面側には、燃料タンク７が配設されており、スペアタイヤハウス３の前方におけるリヤフロア２の上面側には後部座席８が配設されている。リヤフロア２の後端にはバックパネル９が配設され、バックパネル９の後面には、バンパーメンバ１０が取付けられている。バンパーメンバ１０は、バックパネル９の後面から車両後方に突出する車幅方向左右一対のバンパー取付部１０ａを備えており、一対のバンパー取付部１０ａは、車幅方向に間隔を空けるとともに、それぞれサイドフレーム４と前後方向に沿ってほぼ一直線上に配置されている。また、一対のバンパー取付部１０ａの後端には、車幅方向に延びるバンパー部１０ｂが設けられている。
【００２９】
スペアタイヤハウス３の上面には、スペアタイヤＳを留めるスペアタイヤブラケット１１が設けられている。スペアタイヤブラケット１１の前後方向に沿った縦断面はハット形状に形成されている。ハット形状のスペアタイヤブラケット１１の頂部１１ａは、スペアタイヤＳの中心を留めることができる構成となっている。さらに頂部１１ａは、その前方側を下げるように傾斜して形成されている。このような頂部１１ａに留められたスペアタイヤＳは、その後部を上方に持ち上げて傾斜させた状態でスペアタイヤハウス３に収納されることとなる。ハット形状のスペアタイヤブラケット１１の前部１１ｂは、スペアタイヤＳの中心位置より前方でスペアタイヤハウス３に取付けられ、さらにスペアタイヤブラケット１１の後部１１ｃは、スペアタイヤＳの中心位置より後方でスペアタイヤハウス３に取付けられている。さらに、スペアタイヤハウス３の上面には、傾斜したスペアタイヤＳの後部を支持するスペーサ１２が配設されている。
【００３０】
ここで、第１実施形態におけるサイドフレーム４及びフック補強部材６の詳細を説明する。サイドフレーム４は、リヤクロスメンバ５の後方で、前後方向の分割位置４ａでフレーム前部４ｂとフレーム後部４ｃとに分割されており、車両後方からの荷重が加えられた場合に、フレーム前部４ｂとフレーム後部４ｃとの間の分割位置４ａを基点として、下方へ向かう凸形状の谷形に折れる変形（以下、「谷形折れ」という）をするように構成されている。なお、サイドフレーム４の前後方向の分割位置４ａは、スペアタイヤＳの中心位置と一致している。
【００３１】
フック補強部材６の前端部は、リヤクロスメンバ５に連結されている。また、フック補強部材６の後端部には、前方側から補強部材６の後端に向かって上方に傾く斜面６ｄが形成されており、フック補強部材６の後端はバックパネル９に取付けられている。
【００３２】
フック補強部材６は、スペアタイヤＳの中心位置とスペアタイヤブラケット１１の後端との間に位置する前後方向の分割位置６ａで、補強部材前部６ｂと補強部材後部６ｃとに分割されている。リヤフロア２には、上方に向かって突条に形成されたビード１３（図７を参照）が、車幅方向に延設されている。このビード１３の前後位置と、フック補強部材６の前後方向の分割位置６ａとは一致している。
【００３３】
また、フック補強部材６は、横断面ハット形状に形成され、リヤフロア２の下面に取付けられた状態では、リヤフロア２と相俟って閉断面形状を有している。フック補強部材６の後方側の閉断面積は、フック補強部材６の前方側の閉断面積より大きく形成されている。詳細には、フック補強部材６の閉断面の高さは、前方側から後方側に向かって次第に大きくなるように形成され、かつフック補強部材６の閉断面の幅は、前方側から後方側に向かって次第に大きくなるように形成されている。特に、フック補強部材６の閉断面積は、スペアタイヤＳの中心に対応する位置で急激に変化している。
【００３４】
特に、フック補強部材６のうち補強部材後部６ｃの閉断面積は、車両後方に向かって大きくなっており、補強部材後部６ｃの最大閉断面積部分には、略水平面部６ｄが形成されている。この略水平面部６ｄには、前端部を溶接により固着した牽引フック１４が取付けられ、この牽引フック１４の後端部は、補強部材後部６ｃから車両後方へ向かって斜め下方に突出させた状態で配置されている。このような構成によって、補強部材後部６ｃは、剛性が高められており、補強部材前部６ｂよりも高い剛性を有している。
【００３５】
本発明の第１実施形態に係る車体後部１の下部構造が適用された車両において、図８（ａ）に示す状態は、車両後方から車両前方へ向かって荷重Ｆが車体後部１のリヤバンパーメンバ９に入力される前の状態である。
そして、図８（ｂ）に示すように、車両後方から車両前方へ向かって荷重Ｆが車体後部１のバンパーメンバ１０からバックパネル９及びリヤフロア２に入力された場合、この荷重Ｆはバンパー取付部１０ａを経てサイドフレーム４と、スペアタイヤハウス３と、フック補強部材６の後部とに伝わる。これに伴い、スペアタイヤハウス３が変形しながら、リヤフロア２及びフック補強部材６が、ビード１３の配設位置と、補強部材前部６ｂ及び補強部材後部６ｃの間の分割位置６ａで、谷形折れをすることになる。それと共に、サイドフレーム４は、分割位置４ａのフレーム前部４ｂの後端及びフレーム後部４ｃの前端が下がり、谷形折れを生じる。
これらリヤフロア２及びフック補強部材６と、サイドフレーム４とが同方向に折れ変形する際には抵抗力が発生するから、車両後方から車体後部に掛かった荷重Ｆが吸収されることになる。また、荷重Ｆによってスペアタイヤハウス３が変形すると、前倒しに傾斜配置されたスペアタイヤＳの後部が前部を中心に上方へ跳ね上げられて、車両前方へ向かって縦方向に大きく回動することになる。
【００３６】
以上のように本発明の第１実施形態によれば、フック補強部材６の前端がリヤクロスメンバ５に取付けられ、フック補強部材６が、リヤフロア２とともに閉断面を形成し、かつ前方側の閉断面より後方側の閉断面を大きくするように形成されており、フック補強部材６が、補強部材前部６ｂと補強部材後部６ｃとに分割されているので、車両後方からの荷重が車体後部に掛かるとき、フック補強部材６の補強部材後部６ｃが荷重を受けて車両前方へ移動し、補強部材前部６ｂへ荷重が伝わることになる。補強部材前部６ｂへ伝わった荷重はリヤクロスメンバ５に伝わり、更なる荷重をリヤクロスメンバ５が受けきれずに変形する場合、フック補強部材６の後方側の閉断面積が前方側の閉断面積より大きくなっていることによって、補強部材前部６ｂは、リヤクロスメンバ５との連結部を中心として変形するとともに、補強部材後部６ｃは、剛性が高く変形しながらもその形を保って後端が上方に移動することになる。従って、リヤフロア５及びフック補強部材６は谷形折れ（Ｖ字変形）を起こすことになる。
よって、スペアタイヤＳがスペアタイヤハウス３に前倒しの状態で傾斜配置されていることに伴って、スペアタイヤＳの後部が、スペアタイヤＳの前部を中心に跳ね上げられ、車両前方へ向かって縦方向に回動する際に、上述の谷形折れによってスペアタイヤの縦方向の回動を促進することができるとともに、車両後方からの荷重Ｆを確実に吸収することができる。
【００３７】
本発明の第１実施形態によれば、スペアタイヤブラケット１１の頂部１１ａが、スペアタイヤＳの中心を留めることができるように構成され、スペアタイヤブラケット１１の前部１１ｂが、フック補強部材６の分割位置６ａより前方で前記スペアタイヤハウスに取付けられ、スペアタイヤブラケット１１の後部１１ｃが、フック補強部材６の分割位置６ａより後方でスペアタイヤハウス３に取付けられているので、スペアタイヤハウス３に前倒しの状態で傾斜配置されたスペアタイヤＳについて、フック補強部材６の分割位置６ａを基点として発生するフック補強部材６の谷形折れによって、スペアタイヤＳの後部を、スペアタイヤＳの前部を中心として確実に跳ね上げることができる。
【００３８】
本発明の第１実施形態によれば、フック補強部材６の後端部には、前方側から補強部材６の後端に向かって上方に傾く斜面６ｄが形成されているので、車両後方からの荷重Ｆが車体後部１に掛かり、ある程度の変形が進んだ後、谷形折れの発生したフック補強部材６の後端部の斜面６ｄが、当該斜面が車両後方からの荷重Ｆに対して垂直な状態に移動することとなる。よって、フック補強部材６には、更に谷形折れを促すように荷重Ｆが掛かることとなり、スペアタイヤＳの後部を、スペアタイヤＳの前部を中心としてさらに確実に跳ね上げることができる。
【００３９】
本発明の第１実施形態によれば、フック補強部材６の後端がバックパネル９に取付けられているので、最初に車両後方からの荷重Ｆが車体後部１に掛かった際に、バックパネル９からフック補強部材６に荷重Ｆが確実に伝わることとなり、フック補強部材６の谷形折れをより確実に、早く起こすことができる。
【００４０】
本発明の第１実施形態によれば、リヤフロア２には、下方に突出するビード１３が車幅方向に延設され、ビード１３の位置と、フック補強部材６の分割位置６ａとが一致しているので、フック補強部材６の分割位置６ａを基点に谷形折れが起こるとき、ビードによりリヤフロア２が谷形折れしやすくなり、スペアタイヤブラケット３を含むリヤフロア２、及びフック補強部材６を確実に谷形折れさせることができる。したがって、リヤフロア２からスペアタイヤブラケット３への変形荷重が効率よく伝達されることになり、スペアタイヤＳの後部を十分に跳ね上げることができる。
【００４１】
本発明の第１実施形態によれば、サイドフレーム４は、リヤクロスメンバ５より後方で、車両前後方向にフレーム前部４ｂとフレーム後部４ｃとに分割され、車両後方からの荷重Ｆが加えられた場合に、フレーム前部４ｂとフレーム後部４ｃとの間の分割位置４ａを基点として谷形折れをするように構成されているので、車両後方からの荷重Ｆが車体後部１に掛かり、ある程度の変形が進んだ後、サイドフレーム４は、フレーム前部４ｂ及びフレーム後部４ｃの分割位置４ａを中心に折れ変形を起こすが、この場合、リヤフロア２及びフック補強部材６の折れ変形と同じ方向に変形しやすくなる。その際、サイドフレーム４がフレーム前部４ｂ及びフレーム後部４ｃの分割位置４ａを基点としてあらかじめ若干下向きに湾曲して形成され、あるいは、当該分割位置４ａの上側に凹みやビードが形成されていれば、サイドフレーム４の谷形折れを誘導することができる。
【００４２】
本発明の第１実施形態によれば、補強部材後部６ｃの閉断面の面積は、車両後方に向かって大きくなり、補強部材後部６ｃの最大閉断面積部分に形成された略水平面部６ｄに、牽引フック１４が取付けられているので、車両後方からの荷重Ｆに伴って生じるリヤフロア２及びフック補強部材６の谷形折れをより確実に、早く起こすことができる。また、牽引フック１４の取付剛性を確保できるとともに、牽引フック１４によって補強部材後部６ｃの剛性を補強することができる。その結果、上記効果をより確実に発揮でき、スムーズな谷形折れを起こし、スペアタイヤＳの後部の跳ね上げを確実に起こすことができる。
【００４３】
［第２実施形態］
本発明の第２実施形態について、図９及び図１０を参照して説明する。第２実施形態における基本的な構成は、第１実施形態の構成と同様になっている。第１実施形態と同様な要素は、第１実施形態と同様の符号及び名称を用いて説明する。ここでは、第１実施形態と異なる構成について説明する。
【００４４】
図９で示すように、フック補強部材６の車幅方向に沿った横断面ハット形状に形成され、フック補強部材６は、スペアタイヤＳの中心位置とスペアタイヤブラケット１１の前端との間に位置する前後方向の分割位置６ｅで、補強部材前部６ｆと補強部材後部６ｇとに分割されている。リヤフロア２には、上方に向かって突条に形成されたビード２１が、車幅方向に延設されている。このビード２１の前後位置と、フック補強部材６の前後方向の分割位置６ｅとは一致している。
【００４５】
本発明の第２実施形態に係る車体後部１の下部構造が適用された車両において、図１０（ａ）に示す状態は、車両後方から車両前方へ向かって荷重Ｆが車体後部１のリヤバンパーメンバ９に入力される前の状態である。
そして、図１０（ｂ）に示すように、第１実施形態と異なり、車両後方から車両前方へ向かって荷重Ｆが車体後部１のバンパーメンバ１０からバックパネル９及びリヤフロア２に入力された場合、スペアタイヤハウス３が変形しながら、リヤフロア２及びフック補強部材６が、ビード２１の配設位置と、補強部材前部６ｆ及び補強部材後部６ｇの間の分割位置６ｅで、谷形折れをすることになる。
【００４６】
以上のように本発明の第２実施形態によれば、第１実施形態と同様の効果が得られる。
【００４７】
ここまで本発明の実施形態について述べたが、本発明は既述の実施形態に限定されるものではなく、本発明の技術的思想に基づいて各種の変形及び変更が可能である。
【００４８】
例えば、本実施形態の変形例として、スペアタイヤブラケット１１と、スペーサ１２とを一体に形成してもよい。本実施形態と同様の効果が得られる。
【符号の説明】
【００４９】
１  車体後部
２  リヤフロア
３  スペアタイヤハウス
４  サイドフレーム
４ａ  分割位置
４ｂ  フレーム前部
４ｃ  フレーム後部
５  リヤクロスメンバ
６  フック補強部材
６ａ，６ｅ  分割位置
６ｂ，６ｆ  補強部材前部
６ｃ，６ｇ  補強部材後部
６ｄ  略水平部
１１  スペアタイヤブラケット
１１ａ  頂部
１１ｂ  前部
１１ｂ  後部
１３，２１  ビード
１４  牽引フック
Ｓ  スペアタイヤ
Ｆ  荷重
【図１】
0005435349.tif 000002
【図６】
0005435349.tif 000003
【図７】
0005435349.tif 000004
【図８】
0005435349.tif 000005
【図１０】
0005435349.tif 000006
【図２】
0005435349.tif 000007
【図３】
0005435349.tif 000008
【図４】
0005435349.tif 000009
【図５】
0005435349.tif 000010
【図９】
0005435349.tif 000011